(57)【要約】【課題】  デザイン性が良好で壁掛設置に適した形状可変構造が設けられた支持台を備える。【解決手段】  卓面Ｆに当接され表示部１をスタンド３を介して支持する支持台２に形状を変更することのできる形状可変構造が設けられている。支持台２の後方側の部分は、支持台２に内蔵された回動軸４で回動可能に支持された可動部２２とされている。可動部２２は、少なくとも支持台２の前方側へ直立に起立されるまで回動可能である。【選択図】        図１
2007322752.tif 000002
【特許請求の範囲】
【請求項１】
卓面に当接され表示部をスタンドを介して支持する支持台に形状を変更することのできる形状可変構造が設けられた薄型表示装置において、支持台の後方側の部分が支持台に内蔵された回動軸で回動可能に支持された可動部とされ、可動部は少なくとも支持台の前方側へ直立に起立されるまで回動可能であることを特徴とする薄型表示装置。
【請求項２】
請求項１の薄型表示装置において、支持台の可動部の回動をロックするロック機構が備えられていることを特徴とする薄型表示装置。
【請求項３】
請求項２の薄型表示装置において、ロック機構は支持台の可動部の任意の回動位置で回動をロックできるものであることを特徴とする薄型表示装置。
【請求項４】
請求項１〜３のいずれかの薄型表示装置において、支持台の可動部を卓面に当接される方向へ付勢する付勢機構が備えられていることを特徴とする薄型表示装置。
【発明の詳細な説明】
【技術分野】
【０００１】
本発明は、液晶テレビ，パソコン用液晶モニタ等の薄型表示装置に係る技術分野に属する。
【背景技術】
【０００２】
最近、薄型表示装置として、卓面（床面）に載せて設置する卓上（床上）設置と壁面に掛けて設置する壁掛設置とを随時に変換できるようにしたものが提供されている。薄型表示装置の設置構造は、液晶パネル，各種基板等を収容してかなり重量のある表示部を卓面（床面）に当接する支持台にスタンド（支柱）を介して支持してなるものが一般的である。従って、卓上設置を安定させるためには、支持台の卓面への当接面積を大きくすることが必要となる。ところが、支持台が大型化すると、壁掛設置の際に支持台（特に、表示部，スタンドの後方側へ突出した部分）が邪魔になってしまうという不具合が生ずる。このため、薄型表示装置の支持台に卓上設置，壁掛設置に対応して形状を変更することのできる形状可変構造を設けることが要望されている。
【０００３】
従来、支持台に形状可変構造を設けた薄型表示装置としては、例えば、以下に記載のものが知られている。
【特許文献１】特開２００１−３４１７９号公報  特許文献１には、支持台の上面に取付けられた回動軸に補助支持台を回動可能に支持してなる薄型表示装置が記載されている。
【０００４】
特許文献１に係る薄型表示装置は、卓上設置の際に補助支持台を回動させて傾倒した姿勢で卓面に一部を当接させ、壁面に近接した卓上設置である壁寄（壁際）設置の際に補助支持台を逆方向へ回動させて傾倒した姿勢で卓面から立上げさせることで、卓上設置，壁寄設置に対応して支持台の形状を実質的に変更するものである。
【発明の開示】
【発明が解決しようとする課題】
【０００５】
特許文献１に係る薄型表示装置では、支持台から補助支持台が大きく露出，突出されているため、デザイン性が不良であるという問題点がある。また、壁寄設置の際に補助支持台が傾倒した姿勢となって表示部，スタンドの後方側への突出があまり低減されないため、より壁面に近接されることになる壁掛設置には不適であるという問題点がある。
【０００６】
本発明は、このような問題点を考慮してなされたもので、デザイン性が良好で壁掛設置に適した形状可変構造が設けられた支持台を備えた薄型表示装置を提供することを課題とする。
【課題を解決するための手段】
【０００７】
前述の課題を解決するため、本発明に係る薄型表示装置は、特許請求の範囲の各請求項に記載の手段を採用する。
【０００８】
即ち、請求項１では、卓面に当接され表示部をスタンドを介して支持する支持台に形状を変更することのできる形状可変構造が設けられた薄型表示装置において、支持台の後方側の部分が支持台に内蔵された回動軸で回動可能に支持された可動部とされ、可動部は少なくとも支持台の前方側へ直立に起立されるまで回動が可能であることを特徴とする。
【０００９】
この手段では、支持台の一部が支持台に内蔵された回動軸で回動可能に支持された形状可変構造が構成され、支持台からの無用な露出，突出が避けられる。また、支持台の回動する可動部が支持台の前方側へ直立に起立される形状可変構造が構成され、壁掛設置の際に表示部，スタンドの後方側への突出が大きく低減される。
【００１０】
また、請求項２では、請求項１の薄型表示装置において、支持台の可動部の回動をロックするロック機構が備えられていることを特徴とする。
【００１１】
この手段では、ロック機構によって支持台の可動部の不測の回動動作が阻止される。
【００１２】
また、請求項３では、請求項２の薄型表示装置において、ロック機構は支持台の可動部の任意の回動位置で回動をロックできるものであることを特徴とする。
【００１３】
この手段では、ロック機構によって支持台の可動部が任意の回動位置に固定される。
【００１４】
また、請求項４では、請求項１〜３のいずれかの薄型表示装置において、支持台の可動部を卓面に当接される方向へ付勢する付勢機構が備えられていることを特徴とする。
【００１５】
この手段では、付勢機構によって支持台の可動部が回動位置から卓面に当接される位置に復帰される。
【発明の効果】
【００１６】
本発明に係る薄型表示装置は、支持台の一部が支持台に内蔵された回動軸で回動可能に支持された形状可変構造が構成され、支持台からの無用な露出，突出が避けられるため、デザイン性が良好となる効果がある。また、支持台の回動する可動部が支持台の前方側へ直立に起立される形状可変構造が構成され、壁掛設置の際に表示部，スタンドの後方側への突出が大きく低減されるため、壁掛設置に適する効果がある。
【００１７】
さらに、請求項２として、ロック機構によって支持台の可動部の不測の回動動作が阻止されるため、卓上設置，壁掛設置に対応した支持台の形状を確実に保持することができる効果がある。
【００１８】
さらに、請求項３として、ロック機構によって支持台の可動部が任意の回動位置に固定されるため、支持台の可動部を他の用途に供することができる効果がある。
【００１９】
さらに、請求項４として、付勢機構によって支持台の可動部が回動位置から卓面に当接される位置に復帰されるため、壁掛設置から卓上設置への支持台の形状の変更が容易になる効果がある。
【発明を実施するための最良の形態】
【００２０】
以下、本発明に係る薄型表示装置を実施するための最良の形態を図面に基づいて説明する。
【００２１】
図１〜図４は、本発明に係る薄型表示装置を実施するための最良の形態の第１例を示すものである。
【００２２】
第１例は、特許文献１に係る薄型表示装置と同様に、表示部１を支持台２，スタンド３で支持する設置構造が構成されている（図１参照）。
【００２３】
表示部１は、ほぼ方体形のハウジングに液晶パネル，各種基板等が収容され、ハウジングの背面にスタンド３が連結されている。
【００２４】
支持台２は、図２に示すような平面形状がほぼＨ字形に形成され、前方側の固定部２１と後方側の可動部２２とに分割されている。固定部２１は、Ｈ字形の前後方向に延びた両側部の前方側の大部分である両側部分２１ａと、Ｈ字形の両側部を結ぶ中央部である本体部分２１ｂとでほぼコ字形となっている。可動部２２は、Ｈ字形の両側部の後方側の一部分で舌変形となっている。
【００２５】
支持台２の固定部２１，可動部２２は、図２に示すように、固定部２１の本体部分２１ｂから突出され可動部２２に挿入された回動軸４で回動可能に連結されている。即ち、可動部２２と回動軸４とによって、支持台２の形状を変更することのできる形状可変構造が構成されている。可動部２２の回動域は、図示しないストッパ等によって、卓面Ｆに当接する水平（図１（Ａ）の状態）から固定部２１側へ直立に起立する垂直（図１（Ｂ）の状態）までに設定されている。
【００２６】
支持台２の可動部２２の回動については、ロック機構５によって任意の回動位置でロックできるようになっている。ロック機構５は、図２，図３に詳細に示されるように、固定部２１の本体部分２１ｂに堀込まれたスライド用溝５１と、回動軸４が連結されスライド用溝５１の内部を回動軸４の軸方向へスライド可能なスライダ５２と、スライド用溝５１の内部に収容されスライダ５２を可動部２２方向へ弾圧するコイルスプリング５３と、スライダ５２の可動部２２に対面する面に設けられた微細な凹凸が放射状に連続するリング形の摩擦盤５４と、摩擦盤５４に対面して可動部２２に設けられた微細な凹凸が放射状に連続するリング形の摩擦受盤５５とからなる。なお、回動軸４は、可動部２２を貫通して外部に突出され、ロック機構５のスライダ５２をスライド操作する操作部を兼用している。
【００２７】
また、支持台２の可動部２２の回動は、付勢機構６によって卓面Ｆに当接される方向へ弾圧により付勢されている。付勢機構６は、図２，図３に詳細に示されるように、回動軸４の周りで固定部２１の本体部分２１ｂと可動部２２との間に掛渡されたトーションコイルスプリングからなる。
【００２８】
スタンド３は、円柱形に形成され、支持台２の固定部２１の本体部分２１ｂの中央に立設されている。
【００２９】
第１例によると、支持台２の可動部２２が固定部２１と一体化され、回動軸４が支持台２に内蔵されて一部が露出，突出しているのみであるため、支持台２の形状可変構造が特許文献１に係る薄型表示装置の補助支持台のように支持台２から大きく露出，突出することがないため、デザイン性が良好となる。
【００３０】
第１例の卓上設置では、図１（Ａ）に示すように、支持台２の固定部２１，可動部２２が一体的に卓面Ｆに当接される。従って、支持台２の卓面Ｆへの当接面積が大きく確保され、卓上設置の安定性が高くなる。なお、卓上設置では、支持台２の可動部２２の状態がロック機構５（摩擦盤５４，摩擦受盤５５の当接（噛合わせ）），付勢機構６でロック，付勢されているため、支持台２の可動部２２が不測に動作して安定性を損なうようなことはない。
【００３１】
第１例を卓上設置から壁掛設置に変換する場合には、回動軸４を押圧してロック機構５のスライダ５２をコイルスプリング５３の弾圧に抗して内部方向へスライドさせ、摩擦盤５４，摩擦受盤５５の当接を解除しておいて、支持台２の可動部２２を付勢機構６の弾圧に抗して回動軸４を中心として回動させる。
【００３２】
第１例の壁掛設置では、図１（Ｂ）に示すように、支持台２の可動部２２が前方側（固定部２１側）へ直立に起立される。従って、支持台２の表示部１，スタンド３の後方側への突出が最大限に低減される。この結果、図１（Ｃ）に示すように、スタンド３を壁面Ｗに取付けられたフック等の取付具Ａに差込む等して容易，確実に取付けることができる。なお、壁掛設置では、支持台２の可動部２２の状態がロック機構５でロックされているため、支持台２の可動部２２が不測に動作して壁面Ｗを押圧し、スタンド３を取付具Ａから不測に離脱させるようなことはない。
【００３３】
また、壁掛設置では、図４に示すように、支持台２の可動部２２を逆方向へ回動させてスタンド３，取付具Ａの両側で壁面Ｗに当接させておくと、取付具Ａを加えた３点での壁面Ｗへの当接で全体のぐらつきを防止して壁掛設置を安定化させることができる。
【００３４】
第１例を壁掛設置から卓上設置に変換する場合には、スタンド３を壁面Ｗに取付けられた取付具Ａから取外し、支持台２を卓面Ｆに載せて回動軸４を押圧することで、付勢機構６の弾圧によって支持台２の可動部２２を図１（Ａ）の状態に自動的に復帰させることができる。従って、壁掛設置から卓上設置への変換操作が容易である。
【００３５】
図５〜図７は、本発明に係る薄型表示装置を実施するための最良の形態の第２例を示すものである。
【００３６】
第２例は、図６，図７に示すように、支持台２の平面形状が台形に形成されて後方側の細幅部分が可動部２２とされ、固定部２１，可動部２２がＬ字形に組合わせた部分で回動軸４により回動可能に連結されている。なお、回動軸４は、支持台２の可動部２２からは突出されていない。また、支持台２の可動部２２の回動範囲については、前述の第１例と異ならない。また、付勢機構６についても、基本的に前述の第１例と異ならない。
【００３７】
第２例のロック機構７は、支持台２の固定部２１，可動部２２の双方にまたがって当接可能な２個のロック片７１と、ロック片７を支持台２の固定部２１の上面にそれぞれ回動可能に支持しロック片７の可動部２２への当接の離脱を可能にする支軸７２と、両ロック片７１の動作を連動させるリンクシャフト７３と、各支軸７２とリンクシャフト７３とを連結するリンクアーム７４と、リンクシャフト７３に引張するように連結されロック片７１を支持台２の固定部２１，可動部２２の双方に当接する位置方向へ付勢するコイルスプリング７５と、支持台２の可動部２２に堀込まれ起立した可動部２２にロック片７１の先端部分が挿入係止されるロック溝７６とからなる。なお、支軸７２，リンクシャフト７３，リンクアーム７４については、支持台２の固定部２１の内部に収容されている。
【００３８】
第２例によると、支持台２の可動部２２が固定部２１と一体化され、回動軸４が支持台２に内蔵され、ロック機構７のロック片７１，ロック溝７６が露出，突出しているのみであるため、支持台２の形状可変構造が特許文献１に係る薄型表示装置の補助支持台のように支持台２から大きく露出，突出することがないため、デザイン性が良好となる。
【００３９】
第２例の卓上設置では、図５（Ａ）に示すように、支持台２の固定部２１，可動部２２が一体的に卓面Ｆに当接される。従って、支持台２の卓面Ｆへの当接面積が大きく確保され、卓上設置の安定性が高くなる。なお、卓上設置では、支持台２の可動部２２の状態がロック機構７（ロック片７１の支持台２の固定部２１，可動部２２の双方への当接），付勢機構６でロック，付勢されているため、支持台２の可動部２２が不測に動作して安定性を損なうようなことはない。
【００４０】
第２例を卓上設置から壁掛設置に変換する場合には、ロック機構７のロック片７１をコイルスプリング７５の引張に抗して回動させ、ロック片７１の支持台２の可動部２２への当接を解除しておき（図６参照）、支持台２の可動部２２を付勢機構６の弾圧に抗して回動軸４を中心として回動させてから、ロック機構７のロック片７１をコイルスプリング７５の引張で元の状態に復帰させる（図７参照）。
【００４１】
第２例の壁掛設置では、図５（Ｂ）に示す状態から、スタンド３を壁面Ｗに取付けられたフック等の取付具Ａに差込む等して容易，確実に取付けることができ、前述の第１例とほぼ同様の作用，効果が奏される。ただし、ロック機構７は、ロック片７１が支持台２の起立した可動部２２に設けられたロック溝７６に係止して可動部２２の回動をロックするもので、可動部２２を任意の回動位置でロックするものではない。また、第２例を壁掛設置から卓上設置に変換する場合についても、前述の第１例とほぼ同様の作用，効果が奏される。
【００４２】
以上、図示した各例の外に、支持台２の可動部２２を固定部２１に折畳む位置まで回動させるようにすることも可能である。
【００４３】
さらに、壁掛設置のみならず壁寄設置にも適用することも可能である。
【００４４】
さらに、ロック機構７のロック片７１を支持台２の内部に収容することも可能である。
【図面の簡単な説明】
【００４５】
【図１】本発明に係る薄型表示装置を実施するための最良の形態の第１例の側面図であり、（Ａ），（Ｂ）にそれぞれ支持台の形状の変更状態が示され、（Ｃ）に壁掛設置への操作状態が示されている。
【図２】図１（Ａ）の横断面図（一部拡大断面図を含む）である。
【図３】図２の要部の拡大斜視図である。
【図４】図１の壁掛設置状態における支持台の他の用途を示す図である。
【図５】本発明に係る薄型表示装置を実施するための最良の形態の第２例の側面図であり、（Ａ），（Ｂ）にそれぞれ支持台の形状の変更状態が示されている。
【図６】図５（Ａ）から図５（Ｂ）への支持台の形状の変更操作を示す拡大平面図であり、（Ａ），（Ｂ）に操作順が示されている。
【図７】図６に続く支持台の形状の変更操作を示す拡大平面図であり、（Ａ），（Ｂ）に操作順が示されている。
【符号の説明】
【００４６】
１   
表示部
２           
支持台
２１          固定部
２２          可動部
３            スタンド
４            回動軸
５，７        ロック機構
６            付勢機構
Ｆ            卓面
ｗ            壁面
【図１】
2007322752.tif 000003
【図２】
2007322752.tif 000004
【図３】
2007322752.tif 000005
【図４】
2007322752.tif 000006
【図５】
2007322752.tif 000007
【図６】
2007322752.tif 000008
【図７】
2007322752.tif 000009